【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
マイクロ流体カートリッジと検出器アセンブリとを備えたマイクロ流体検出システムにおいて、
前記マイクロ流体カートリッジは、第１の側及び第２の側と、少なくとも１つの流路と、液体試料を供給するための前記流路への入口とを備え、前記少なくとも１つの流路は複数の第１光学的検出部位を備え、
前記検出器アセンブリは、前記マイクロ流体カートリッジを挿入するためのスロットと、ビーム経路を有した第１固定光源と、前記第１光学的検出部位のうちの少なくとも１つからの光信号を読み取るための光学的読取装置とを備え、前記検出器アセンブリ及びマイクロ流体カートリッジは、前記マイクロ流体カートリッジが前記前記スロット内に第１所定位置まで挿入されたときには、前記マイクロ流体カートリッジの第１光学的検出部位のうちの１つが第１光源のビーム経路内に配置され、前記カートリッジが前記スロット内に第２所定位置まで挿入されたときには、前記マイクロ流体カートリッジの第１光学的検出部位のうちの別の１つが第１光源のビーム経路内に配置されるように構成されている、マイクロ流体検出システム。
【請求項２】
前記スロット内への前記マイクロ流体カートリッジの前記第１所定位置及び前記第２所定位置のそれぞれは、前記マイクロ流体カートリッジを一時的に固定された位置に保持するクリック構成によって決定される、請求項１に記載のマイクロ流体検出システム。
【請求項３】
前記第１光源は、異なる波長を有する複数の異なる光ビームを放射するように構成された多色発光ダイオード（ＬＥＤ）と、前記複数の異なる光ビームをオン及びオフに切り替えるための回路構成とを備える、請求項１又は２に記載のマイクロ流体検出システム。
【請求項４】
前記検出器アセンブリのスロット及びマイクロ流体カートリッジは、前記マイクロ流体カートリッジが前記スロット内へ所定位置に挿入されたときに、前記マイクロ流体カートリッジの第１光学的検出部位のうちの１つが第１光源のビーム経路内に配置され、前記スロット内への前記マイクロ流体カートリッジの所定位置は、前記マイクロ流体カートリッジを一時的に固定された位置に保持するクリック構成によって決定される、請求項１〜３のいずれか１項に記載のマイクロ流体検出システム。
【請求項５】
前記光学的読取装置は、前記カートリッジが前記検出器アセンブリの前記スロット内に挿入されているときに、前記第１検出部位のうちの少なくとも１つの液体試料から吸収特性、反射特性、及び放射特性のうちの少なくとも１つを読み取るように構成されている、請求項１〜４のいずれか１項に記載のマイクロ流体検出システム。
【請求項６】
前記光学的読取装置はデジタル画像読取装置である、請求項１〜５のいずれか１項に記載のマイクロ流体検出システム。
【請求項７】
前記光学的読取装置は電荷結合素子読取装置である、請求項１〜６のいずれか１項に記載のマイクロ流体検出システム。
【請求項８】
前記第１光源の回路構成は、前記複数の異なる光ビームを互いに独立してオン及びオフに切替えるように構成されている、請求項３〜７のいずれか１項に記載のマイクロ流体検出システム。
【請求項９】
前記検出器アセンブリは、一度に前記異なる光ビームのうちの１つのみがオンに切り替えられるように、前記複数の異なる光ビームをオン及びオフに切り替えるようにプログラムされている、請求項３〜８のいずれか１項に記載のマイクロ流体検出システム。
【請求項１０】
前記複数の異なる光ビームは、２つ〜５つの異なる光ビームを含む、請求項３〜９のいずれか１項に記載のマイクロ流体検出システム。
【請求項１１】
前記複数の異なる光ビームの各々は互いに独立して約５０ｎｍ以内のスペクトル幅を有する、請求項３〜１０のいずれか１項に記載のマイクロ流体検出システム。
【請求項１２】
前記多色ＬＥＤの前記複数の異なる光ビームは単色光ビームである、請求項３〜１１のいずれか１項に記載のマイクロ流体検出システム。
【請求項１３】
前記多色ＬＥＤの前記複数の異なる光ビームは、約５７５ｎｍ〜約６２５ｎｍの中心波長を有する光ビーム、又は約４２５ｎｍ〜約４７５ｎｍの中心波長を有する光ビームのうちの少なくとも１つを含んでなる、請求項３〜１２のいずれか１項に記載のマイクロ流体検出システム。
【請求項１４】
前記多色ＬＥＤの前記複数の異なる光ビームは、赤色光ビーム、橙色光ビーム、黄色光ビーム、緑色光ビーム、又は青色光ビームのうちから選択された少なくとも３つの単色光ビームを含む、請求項３〜１３のいずれか１項に記載のマイクロ流体検出システム。
【請求項１５】
前記マイクロ流体カートリッジの前記流路は複数の付加的な光学的検出部位を備え、前記検出器アセンブリは各ビーム経路を有する複数の付加的な固定光源を備え、前記検出器のスロットは、前記マイクロ流体カートリッジが前記スロット内に挿入されたときに、前記マイクロ流体カートリッジの複数の付加的な光学的検出部位が前記複数の付加的な光源の各ビーム経路内に配置されるように形成されており、前記複数の付加的な光源の各々は、好適には、異なる波長を有する複数の異なる光ビームを放射するように構成された多色発光ダイオード（ＬＥＤ）と、前記複数の異なる光ビームをオン及びオフに切り替えるための回路構成とを備え、前記光学的読取装置は、前記付加的な光学的検出部位からの光信号を読み取るように構成され、前記検出器アセンブリは、前記付加的な光学的検出部位からの光信号を読み取るように構成された少なくとも１つの付加的な光学的読取装置を備える、請求項１〜１４のいずれか１項に記載のマイクロ流体検出システム。
【請求項１６】
前記検出器アセンブリは、各固定光源からのビームが光を２つ以上の検出部位に同時に透過させるのを防止するために、前記固定光源のうちの１つ以上のための光トンネルを備える、請求項１〜１５のいずれか１項に記載のマイクロ流体検出システム。
【請求項１７】
前記マイクロ流体カートリッジの前記流路は、複数の異なるアッセイを実施するための複数の検出部位を備える、請求項１〜１６のいずれか１項に記載のマイクロ流体検出システム。
【請求項１８】
前記複数の検出部位は少なくとも１つの電気的検出部位を含み、前記電気的検出部位は前記電気的検出部位において電気化学的検出を実施するように構成された電極を備え、前記電極はマイクロ流体カートリッジ接続パッドに接続された電線を含み、前記検出器アセンブリは前記電気的検出部位からの電気信号を読み取るための少なくとも１つの電気的読取装置とを備える、請求項１７に記載のマイクロ流体検出システム。
【請求項１９】
前記電気的読取装置は、前記マイクロ流体カートリッジが前記スロット内に挿入されたときに、前記マイクロ流体カートリッジ接続パッドが電圧計接続パッドと電気的に接続するように、スリット内に配された前記電圧計接続パッドに電気的に接続された電圧計を備える、請求項１８に記載のマイクロ流体検出システム。
【請求項２０】
前記検出器アセンブリは少なくとも１つの出力インタフェース及びプロセッサを備え、前記マイクロ流体カートリッジは、前記カートリッジを用いて実施されるべきアッセイについての指示を含む機械可読コードを含み、前記検出器アセンブリは、前記機械可読コードを読み取り、かつ前記実施されるべきアッセイについての指示を前記プロセッサに供給するためのコード読取装置を備え、前記プロセッサは、前記機械可読コードから得られた指示に少なくとも部分的に基づいて、前記読取装置及び出力インタフェースのうちの少なくとも１つを制御するようにプログラムされており、好適には、前記少なくとも１つの読取装置は、光学的読取装置及び電気的読取装置のうちの少なくとも１つである、請求項１〜１９のいずれか１項に記載のマイクロ流体検出システム。
【請求項２１】
複数の異なるアッセイを実施するためのマイクロ流体カートリッジであって、前記カートリッジは、少なくとも１つの流路と、液体試料を供給するための前記流路への入口とを備え、前記流路は、電気的検出部位において電気化学的検出を実施するように構成された電極を備えた少なくとも１つの電気的検出部位と、光学的検出部位における光学的読み取りのための透明窓を有した少なくとも１つの光学的検出部位とを含む複数の検出部位を備え、
前記カートリッジは、チャネル状のキャビティを有する固体基材と、前記固体基材に接合されて前記少なくとも１つの流路を形成するポリマーホイルとを備え、前記ホイルは、少なくとも前記電気的検出部位のための電極と、前記電極から読み取るための電気的伝送路とを搭載しているポリマーである、マイクロ流体カートリッジ。